(57)【要約】【課題】放電電極の周りの電界分布を均一にすることによって、帯電微粒子水の発生をより速やかに、安定して行うことができる静電霧化装置を提供することを課題とするものである。【解決手段】静電霧化装置Ａは、放電電極１１に水を供給する水供給手段であるペルチェユニット１３を備え、放電電極１１に高電圧を印加することで放電電極１１に保持される水を霧化させるものであって、放電電極１１は、長手方向の軸線を回転軸５０として回転可能に形成されている。また、ペルチェユニット１３は、冷却部１４と放熱部１５を有し、空気中の水分を基に放電電極１１に水が生成されるように、該ペルチェユニット１３の冷却部１４側に放電電極１１が設けられている。【選択図】図１
2008238060.tif 000002
【特許請求の範囲】
【請求項１】
放電電極に水を供給する水供給手段を備え、放電電極に高電圧を印加することで放電電極に保持される水を霧化させる静電霧化装置において、放電電極を長手方向の軸線を回転軸として回転させる回転駆動部を備えたことを特徴とする静電霧化装置。
【請求項２】
水供給手段は、冷却部と放熱部を有するペルチェユニットであって、空気中の水分を基に放電電極に水が生成されるように、該ペルチェユニットの冷却部側に放電電極が設けられていることを特徴とする請求項１に記載の静電霧化装置。
【請求項３】
放電電極と対向して位置する対向電極を備え、放電電極と対向電極との間に高電圧を印加することで、放電電極に保持される水を霧化させるものであることを特徴とする請求項１又は２記載の静電霧化装置。
【請求項４】
放電電極は、放電電極の回転により整気流を発生させる気流発生部を備えたことを特徴とする請求項１乃至３のいずれか一項に記載の静電霧化装置。
【請求項５】
放電電極の回転を制御する回転駆動制御部を備えたことを特徴とする請求項１乃至４のいずれか一項に記載の静電霧化装置。
【請求項６】
回転駆動制御部は、放電電極への高電圧の印加を開始してから所定時間経過後に、放電電極を回転させるものであることを特徴とする請求項５記載の静電霧化装置。
【請求項７】
放電電流値を計測する電流計測部を備え、回転駆動制御部は、電流計測部での計測値が予め記憶部に記憶された所定の値よりも小さい場合に放電電極を回転させるものであることを特徴とする請求項５記載の静電霧化装置。
【請求項８】
放電電流値を計測する電流計測部を備え、回転駆動制御部は、電流計測部での計測値に応じて放電電極の回転速度を変更するものであることを特徴とする請求項５記載の静電霧化装置。
【請求項９】
対象物までの距離を計測する距離計測部を備え、回転駆動制御部は、距離計測部での計測値に応じて放電電極の回転速度を変更するものであることを特徴とする請求項５記載の静電霧化装置。
【発明の詳細な説明】
【技術分野】
【０００１】
本願発明は、静電霧化現象によりナノメータサイズの帯電微粒子水を発生させる静電霧化装置に関するものである。
【背景技術】
【０００２】
従来から放電電極と、放電電極に水を供給する水供給手段とを備え、放電電極に高電圧を印加することで放電電極に保持される水を霧化させ、帯電微粒子水を発生させる静電霧化装置が知られている。放電電極に水を供給する供給手段としては、吸い上げ式と結露式がある。
【０００３】
結露式を用いた静電霧化装置として特許文献１に示されている発明が知られている。この従来の静電霧化装置Ａは、図４に示すように、放電電極１１と、放電電極１１に対向して位置する対向電極１２と、放電電極１１に水を供給する水供給手段とを備え、放電電極１１と対向電極１２との間に高電圧を印加することで放電電極１１に保持される水を霧化させ、帯電微粒子水を発生させるようになっている。放電電極１１に水を供給する水供給手段としては、吸熱体１３により放電電極１１を冷却して空気中の水分を放電電極１１に結露させることにより放電電極１１に結露水を生成させるものである。
【特許文献１】特開２００６−０００８２６号公報
【発明の開示】
【発明が解決しようとする課題】
【０００４】
上記の図４で示した従来例において、放電電極１１には高電圧が印加され、放電電極１１の先端の放電部１１ａに生成された結露水が帯電し、この帯電した結露水にクーロン力が働き、この結露水が先端の尖った錐状に盛り上がる（テイラーコーン）。この時、印加される電圧が水の表面張力を超えて分裂、飛散（レイリー分裂）を起こさせることができる高電圧であれば、放電部１１ａに生成した結露水はテイラーコーン形状となってレイリー分裂を起こしてナノメータサイズの帯電微粒子水が発生するという静電霧化がなされ、大気中に放出される。
【０００５】
しかしながら、上記の従来例では、使用環境によっては発生する電界分布に傾きやばらつきが生じ、その場合には、（特に霧化の開始当初に）テイラーコーン形状が傾いて発生する場合が生じ得る。また、対向電極１２が無い場合にはテイラーコーン形状が常に不安定に揺動する場合が生じ得る。その場合、飛散する霧化量が少なくなったり、霧化の開始が遅くなるといった不具合が発生する。ここで帯電微粒子水の発生を安定させ、帯電微粒子水の発生をより速やかに行うためには、電界分布を均一にさせる電極構造の新たな構成を別途追加する必要があり、その場合には、静電霧化装置Ａが大型化してしまう問題がある。
【０００６】
本願発明は、上記背景技術に鑑みて発明されたものであり、その目的は、放電電極の周りの電界分布を均一にすることによって、帯電微粒子水の発生をより速やかに、安定して行うことができる静電霧化装置を提供することを課題とするものである。
【課題を解決するための手段】
【０００７】
上記課題を解決するために、本願請求項１記載の発明では、放電電極に水を供給する水供給手段を備え、放電電極に高電圧を印加することで放電電極に保持される水を霧化させる静電霧化装置において、放電電極を長手方向の軸線を回転軸として回転させる回転駆動部を備えたことを特徴としている。
【０００８】
本願請求項２記載の発明では、上記請求項１記載の静電霧化装置において、水供給手段は、冷却部と放熱部を有するペルチェユニットであって、空気中の水分を基に放電電極に水が生成されるように、該ペルチェユニットの冷却部側に放電電極が設けられていることを特徴としている。
【０００９】
本願請求項３記載の発明では、上記請求項１又は２記載の静電霧化装置において、放電電極と対向して位置する対向電極を備え、放電電極と対向電極との間に高電圧を印加することで、放電電極に保持される水を霧化させるものであることを特徴としている。
【００１０】
本願請求項４記載の発明では、上記請求項１乃至３のいずれか一項に記載の静電霧化装置において、放電電極は、放電電極の回転により整気流を発生させる気流発生部を備えたことを特徴としている。
【００１１】
本願請求項５記載の発明では、上記請求項１乃至４のいずれか一項に記載の静電霧化装置において、放電電極の回転を制御する回転駆動制御部を備えたことを特徴としている。
【００１２】
本願請求項６記載の発明では、上記請求項５記載の静電霧化装置において、回転駆動制御部は、放電電極への高電圧の印加を開始してから所定時間経過後に、放電電極を回転させるものであることを特徴としている。
【００１３】
本願請求項７記載の発明では、上記請求項５記載の静電霧化装置において、放電電流値を計測する電流計測部を備え、回転駆動制御部は、電流計測部での計測値が予め記憶部に記憶された所定の値よりも小さい場合に放電電極を回転させるものであることを特徴としている。
【００１４】
本願請求項８記載の発明では、上記請求項５記載の静電霧化装置において、放電電流値を計測する電流計測部を備え、回転駆動制御部は、電流計測部での計測値に応じて放電電極の回転速度を変更するものであることを特徴としている。
【００１５】
本願請求項９記載の発明では、上記請求項５記載の静電霧化装置において、対象物までの距離を計測する距離計測部を備え、回転駆動制御部は、距離計測部での計測値に応じて放電電極の回転速度を変更するものであることを特徴としている。
【発明の効果】
【００１６】
本願請求項１記載の発明の静電霧化装置においては、放電電極を長手方向の軸線を回転軸として回転させる回転駆動部を備えることにより、放電電極を回転させることができる。放電電極を回転させることによって、各部品の寸法誤差や組立て誤差によって生じる放電電極の寸法精度や位置精度等のばらつきによる放電電極の周りの電界分布の不均一を解消することができる。放電電極の周りの電界分布が均一にすることによって、放電電極の先端に供給された水が帯電し、先端の尖った錐状に盛り上がった形状（テイラーコーン形状）が安定するので、帯電微粒子水の発生をより速やかに、安定して行うことができる。
【００１７】
本願請求項２記載の発明の静電霧化装置においては、特に、ペルチェユニットを用いた水供給手段によって、空気中の水分を基に放電電極に水を生成させるので、さらに、水が放電電極の先端に速やかに集まるため、帯電微粒子水の発生をより速やかに行うことができる。
【００１８】
本願請求項３記載の発明の静電霧化装置においては、特に、対向電極を設けることにより、電界強度が強まるのでテイラーコーン形状がさらに安定し、帯電微粒子水の発生を安定して行える。また、水供給手段としてペルチェユニットを用いた場合には、電界強度によって、水が放電電極の先端にさらに速やかに集まるため、帯電微粒子水の発生をより速やかに行うことができる。
【００１９】
本願請求項４記載の発明の静電霧化装置においては、特に、気流発生部を具備することで、帯電微粒子水の飛散方向へ気流を発生させることができる。このことによって、帯電微粒子水をより遠くへ飛散させることができる。
【００２０】
本願請求項５記載の発明の静電霧化装置においては、特に、放電電極の回転を制御する回転駆動制御部を備えているので、回転の開始及び停止、又は回転速度の変更などができ、状況に応じた適切な放電電極の回転を行うことができる。
【００２１】
本願請求項６記載の発明の静電霧化装置においては、特に、放電電極への高電圧の印加を開始してから所定時間経過後に、放電電極を回転させる回転駆動制御部を備えたことにより、結露水が放電電極の先端（放電部）に集まる前に放電電極が回転することを防止することができる。このことによって、回転風による結露の阻害をなくし、安定した結露水が放電電極の先端（放電部）に速やかに集まるため、帯電微粒子水の発生をより速やかに行うことができる。
【００２２】
本願請求項７記載の発明の静電霧化装置においては、特に、放電電流値を計測する電流計測部をさらに備え、回転駆動制御部は、電流計測部での計測値が予め記憶部に記憶された所定の値よりも小さい場合に放電電極を回転させるものであるので、電流値が低く放電が不安定な場合にのみ回転させることができる。このことによって、不要な電力を使用することなく、消費されるエネルギー効率を上げることができる。
【００２３】
本願請求項８記載の発明の静電霧化装置においては、特に、放電電流値を計測する電流計測部をさらに備え、回転駆動制御部は、電流計測部での計測値に応じて放電電極の回転速度を変更するものであるので、放電電流値が低く放電が不安定な場合（結露が少ない）には回転速度を遅くして結露しやすくし、放電電流値が高く放電が不安定な場合（結露が多い）場合には回転速度を速くして余分な結露水を飛散や乾燥などによって除去しやすくすることができる。このことによって、テイラーコーン形状が安定するので、帯電微粒子水の発生を安定して行うことができる。さらに、結露水が放電電極の先端（放電部）に速やかに集まるため、帯電微粒子水の発生をより速やかに行うことができる。
【００２４】
本願請求項９記載の発明の静電霧化装置においては、特に、対象物までの距離を計測する距離計測部をさらに備え、回転駆動制御部は、距離計測部での計測値に応じて放電電極の回転速度を変更するものであるので、帯電微粒子水を対象物の位置に合わせて飛散させることができる。
【発明を実施するための最良の形態】
【００２５】
図１〜図３は、本願発明の第１の実施形態である静電霧化装置を示している。図１に示すように、静電霧化装置Ａは、放電電極１１に水を供給する水供給手段であるペルチェユニット１３を備え、放電電極１１に高電圧を印加することで放電電極１１に保持される水を霧化させるものであって、放電電極１１を長手方向の軸線を回転軸５０として回転させる回転駆動部２０を備えている。また、ペルチェユニット１３は、冷却部１４と放熱部１５を有し、空気中の水分を基に放電電極１１に水が生成されるように、該ペルチェユニット１３の冷却部１４側に放電電極１１が設けられている。また、放電電極１１と対向して位置する対向電極１２を備え、放電電極１１と対向電極１２との間に高電圧を印加することで、放電電極１１に保持される水を霧化させるものである。さらに、放電電極１１は、放電電極１１の回転により整気流を発生させる気流発生部２３を備えている。
【００２６】
さらに、放電電極１１の回転を制御する回転駆動制御部３１を備えており、回転駆動制御部３１は、放電電極１１への高電圧の印加を開始してから所定時間経過後に、放電電極１１を回転させるものである。また、放電電流値を計測する電流計測部３２を備え、回転駆動制御部３１は、電流計測部３２での計測値が予め記憶部３３に記憶された所定の値よりも小さい場合に放電電極１１を回転させるものであり、電流計測部３２での計測値に応じて放電電極１１の回転速度を変更するものである。また、対象物までの距離を計測する距離計測部３４を備え、回転駆動制御部３１は、距離計測部３４での計測値に応じて放電電極１１の回転速度を変更するものである。
【００２７】
以下、この実施形態の静電霧化装置をより具体的詳細に説明する。図１に示すように、静電霧化装置Ａは静電霧化ユニット１０、回転駆動部２０、高電圧印加部３０、回転駆動制御部３１、電流計測部３２、記憶部３３及び距離計測部３４で構成されている。
【００２８】
静電霧化ユニット１０は、冷却部１４と放熱部１５とペルチェモジュール１６とを有するペルチェユニット１３の冷却部１４上に放電電極１１を立設するとともに、この放電電極１１の側方を囲むように断面円環状を成す保持部材１９の先端開口縁部に対向電極１２を固定させたものである。
【００２９】
ペルチェユニット１３は、通電により冷却側及び放熱側を形成するペルチェモジュール１６を用いたものであり、ペルチェモジュール１６の冷却側に冷却部１４が接続されており、ペルチェモジュール１６の放熱側に放熱部１５が接続されている。なお、冷却部１４としては熱伝導率が高く且つ電気伝導率の低い（絶縁性の）材料を用い、放熱部１５としては熱伝導率の高い材料（例えばアルミニウム）を用いる。
【００３０】
放電電極１１は冷却部１４上に立設されて円柱形状の部材であり、熱伝導率が高く且つ電気伝導率の高い材料（例えば銅）を用いてその先端は鋭利な円錐状となるように形成されている。なお、放電電極１１の先端の放電部１１ａは、球状となるように形成されていてもよい。放電電極１１には高電圧印加部３０より、例えば±２〜１５ｋＶ程度の高電圧が印加され、保持部材１９の先端開口縁部の放電電極１１と対をなす位置に設置される対向電極１２は放電電極１１に印加される高電圧よりも十分に低い電圧が印加される。なお、対向電極１２は、接地されていてもよい。このとき、対向電極１２は静電霧化の安定のために存在することが望ましいが、放電電極１１に印加される電圧が±１０ｋＶ以上などのように十分に高い電圧であれば存在しなくても良い。
【００３１】
帯電微粒子水を発生させる原理は以下の通りである。まず、ペルチェモジュール１６に通電を行い、冷却部１４によって放電電極１１を冷却する。放電電極１１が露点温度よりも下回ると空気中の水分が放電電極１１に結露し始める。このようにして放電電極１１に結露水が十分に生成されると、放電電極１１と対向電極１２との間に高電圧を印加する。放電電極１１と対向電極１２との間に高電圧を印加すると、放電電極１１の先端の放電部１１ａに生成された結露水が帯電し、この帯電した結露水にクーロン力が働き、この結露水が先端の尖った錐状に盛り上がる（テイラーコーン）。この時、印加される電圧が水の表面張力を超えて分裂、飛散（レイリー分裂）を起こさせることができる高電圧であれば、放電部１１ａに生成した結露水はテイラーコーン形状となってレイリー分裂を起こしてナノメータサイズの帯電微粒子水が発生するという静電霧化がなされ、大気中に放出される。
【００３２】
このようにして発生したナノメータサイズの帯電微粒子水は活性種（ヒドロキシラジカル、スパーオキサイド等）を持ったナノメータサイズの帯電微粒子水であるため、これを室内に放出することで、室内の空気の脱臭のみならず、室内壁面や衣類等に付着して壁面や衣類等の臭いを除去することができ、また、このような付着脱臭性能に加え、更に、アレルゲン除去性能、除菌性能等がある。
【００３３】
この場合、マイナスイオンを含んだミストを放出させるには、対向電極１２を接地し、放電電極１１に負の高電圧を印加するか、あるいは、対向電極１２に正の高電圧を印加し、放電電極１１を接地すればよい。また、プラスイオンを含んだミストを放出させるには、対向電極１２を接地し、放電電極１１に正の高電圧を印加するか、あるいは、対向電極１２に負の高電圧を印加し、放電電極１１を接地すればよい。
【００３４】
このペルチェモジュール１６による結露の場合は、放電電極１１の冷却効率向上のために、ペルチェモジュール１６の反対側の表面からの熱を放出する放熱部１５はフィン形状の放熱フィン１５ａを有し、また放熱部１５への送風装置（図示せず）が存在することが望ましい。
【００３５】
図１に示すように、ペルチェユニット１３には、回転駆動部２０が接続されており、放電電極１１及びペルチェユニット１３は、回転軸５０を中心に回転することができる。回転駆動部２０は、回転動力を生じるモータ部２２と、ペルチェユニット１３を先端に配設した回転支持軸２１とを備えている。さらに、モータ部２２は回転駆動制御部３１からの信号によって、回転駆動の開始及び停止または回転速度を変更することが出来るものであり、回転駆動制御部３１は、モータ部２２の回転駆動の開始及び停止または回転速度を制御することができる。モータ部２２の回転動力は、回転支持軸２１によってペルチェユニット１３に伝達されて、ペルチェユニット１３及び放電電極１１が回転する。ここで、回転軸５０は、放電電極１１の長手方向の軸線と一致している。
【００３６】
対向電極１２及び保持部材１９は、ペルチェユニット１３及び放電電極１１と共には回転せずに、別途固定されている。放電電極１１が回転し、対向電極１２が固定されていることによって、各部品の寸法誤差や組立て誤差によって生じる放電電極１１と対向電極１２との距離のばらつきによる放電電極の周りの電界分布の不均一を解消することができる。
【００３７】
なお、本実施形態では、ペルチェユニット１３及び放電電極１１が回転し、対向電極１２が固定されている静電霧化装置Ａを示しているが、対向電極１２がペルチェユニット１３及び放電電極１１とは別の回転駆動部を有して回転するものであってもよい。また、放電電極１１と気流発生部２３のみが回転し、その他の部分は回転しないものであってもよい。また、静電霧化ユニット１０全体が一体となって回転するものであってもよい。
【００３８】
また、放電電極１１は、基部１１ｂの回転によって帯電微粒子水の飛散方向へ気流を発生することができる気流発生部２３を備えている。気流発生部２３は、放電電極１１の回転によって気流を発生させることのできる複数の羽形状の部材によって構成されており、放電電極１１の基部１１ｂに周設されている。モータ部２２の回転駆動によって静電霧化ユニット１０が回転軸５０を軸に回転した場合に、気流発生部２３も同様に回転軸５０を軸に回転する。このことによって、気流発生部２３は、放電電極１１の周囲に、帯電微粒子水が飛散する方向へ気流を発生させることができる。なお、気流発生部２３は、静電霧化ユニットを回転させる回転駆動部２０とは別の回転駆動する構成を有して、単独で回転することができるものであってもよい。
【００３９】
さらに、放電電極１１と対向電極１２と高電圧印加部３０とで形成されている回路内には、該回路内に流れる放電電流値を測定する電流計測部３２が備えられ、回転駆動制御部３１は、高電圧印加部３０及び電流計側部３２と電気的に接続されている。回転駆動制御部３１は、電流計側部３２で計測された放電電流値と、予め記憶部３３に記憶されている回転開始の閾値となる電流値とを用いて、回転駆動部２０の回転駆動の制御を行う。
【００４０】
図２に示すように、高電圧印加部３０によって高電圧印加が開始されたと回転駆動制御部３１によって判断された（Ｓ１００）後、電流計側部３２によって計測された放電電流値の値と、予め記憶部３３に記憶されている回転開始の閾値となる電流値との比較を行う（Ｓ１０１）。計測された放電電流値が前記閾値より小さい場合には、回転駆動制御部３１は、一定時間経過後にモータ部２２の回転駆動を開始する制御を行う（Ｓ１０２）。ここで、一定時間経過後にモータ部２２を回転駆動させることによって、結露水が放電部１１ａに集まる前に放電電極１１が回転することを防止することができる。このことによって、回転風による放電電極での結露の阻害をなくすことができる。また、計測された放電電流値が前記閾値より大きくなった場合には、回転駆動制御部３１は、モータ部２２の回転駆動を停止する制御を行う（Ｓ１０３）。さらに、高電圧の印加が停止した場合には、モータ部２２の回転駆動を停止して（Ｓ１０４）、処理を終了する。
【００４１】
さらに、モータ部２２が回転駆動している場合には、電流計測部３２によって計測された放電電流値の値に応じてモータ部２２の回転速度を変更することができる（Ｓ１０５）。放電電流値が小さい場合は、霧化量が少なく、放電電極１１に供給される結露水が少ないと判断できるので、回転速度を低下させて結露し易くし、反対に放電電流値が大きい場合には、放電電極１１に供給されている結露水が多いと判断できるので、回転速度を速くして、放電電極１１に供給されている余分な結露水を飛散又は乾燥等をすることによって除去する。
【００４２】
また、静電霧化装置Ａは、帯電微粒子水を飛散させる対象物までの距離を測定する距離測定部３４を備えている。ここで、対象物とは、室内で静電霧化装置Ａを使用する場合には、帯電微粒子水の活性化による除菌や脱臭等を行うことができる対象である室内壁面や衣類等である。距離測定部３４は、例えば、赤外線を用いた測距センサ等を用いるものであり、静電霧化装置Ａから室内壁面や衣類等までの距離を測定することができる。回転駆動制御部３１は、距離測定部３４からの測定結果の信号によって、対象物までの距離に応じた帯電微粒子水の霧化量を制御するために、適切なモータ部２２の回転速度を算出して、モータ部２２へ制御信号を送信して制御を行う。対象物までの距離が遠い場合には、回転速度を速くして、放電電極１１に周設されている気流発生部２３による気流を増大させ、放電部１１ａで発生した帯電微粒子水を気流によって、より遠くまで飛散させることが可能となる。なお、外部環境とこれに対応する帯電微粒子液滴の最適な発散量との関係を予め記憶部３３に記憶させておいて、回転駆動制御部３１が当該関係を参照することによって制御内容を決定することもできる。
【００４３】
したがって、放電電極１１を長手方向の軸線を回転軸として回転させる回転駆動部２０を備えることにより、放電電極１１を回転させることができる。放電電極１１を回転させることによって、各部品の寸法誤差や組立て誤差によって生じる放電電極１１の寸法精度や位置精度等のばらつきによる放電電極１１の周りの電界分布の不均一を解消することができる。放電電極１１の周りの電界分布が均一にすることによって、放電電極１１の先端に供給された水が帯電し、先端の尖った錐状に盛り上がった形状（テイラーコーン形状）が安定するので、帯電微粒子水の発生をより速やかに、安定して行うことができる。
【００４４】
また、ペルチェユニット１３を用いて、空気中の水分を基に放電電極１１に水を生成させるので、さらに、水が放電電極１１の先端の放電部１１ａに速やかに集まるため、帯電微粒子水の発生をより速やかに行うことができる。
【００４５】
また、対向電極１２を設けることにより、電界強度が強まるのでテイラーコーン形状がさらに安定し、帯電微粒子水の発生を安定して行える。また、水供給手段としてペルチェユニット１３を用いた場合には、電界強度によって、水が放電電極１１の先端の放電部１１ａにさらに速やかに集まるため、帯電微粒子水の発生をより速やかに行うことができる。
【００４６】
さらに、気流発生部２３を具備することで、帯電微粒子水の飛散方向へ気流を発生させることができる。このことによって、帯電微粒子水をより遠くへ飛散させることができる。
【００４７】
そして、放電電極１１の回転を制御する回転駆動制御部３１を備えているので、回転の開始及び停止、又は回転速度の変更などができ、状況に応じた適切な放電電極１１の回転を行うことができる。
【００４８】
また、放電電極１１への高電圧の印加を開始してから所定時間経過後に、放電電極１１を回転させる回転駆動制御部３１を備えたことにより、結露水が放電電極の先端の放電部１１ａに集まる前に放電電極１１が回転することを防止することができる。このことによって、回転風による結露の阻害をなくし、安定した結露水が放電電極１１の先端の放電部１１ａに速やかに集まるため、帯電微粒子水の発生をより速やかに行うことができる。
【００４９】
また、放電電流値を計測する電流計測部３２をさらに備え、回転駆動制御部３１は、電流計測部３２での放電電流値が予め記憶部３３に記憶された所定の値よりも小さい場合に放電電極１１を回転させるものであるので、放電電流値が低く放電が不安定な場合にのみ回転させることができる。このことによって、不要な電力を使用することなく、消費されるエネルギー効率を上げることができる。さらに、回転駆動制御部３１は、電流計測部３２での放電電流値に応じて放電電極１１の回転速度を変更するものであるので、放電電流値が低く放電が不安定な場合（結露が少ない場合）には回転速度を遅くして結露しやすくし、放電電流値が高く放電が不安定な場合（結露が多い場合）には回転速度を速くして余分な結露水を飛散や乾燥などによって除去しやすくすることができる。このことによって、テイラーコーン形状が安定するので、帯電微粒子水の発生を安定して行うことができる。さらに、結露水が放電部１１ａに速やかに集まるため、帯電微粒子水の発生をより速やかに行うことができる。
【００５０】
さらに、対象物までの距離を計測する距離計測部３４をさらに備え、回転駆動制御部３１は、距離計測部３４での計測値に応じて放電電極１１の回転速度を変更するものであるので、帯電微粒子水を対象物の位置に合わせて飛散させることができる。
【００５１】
図３は、本願発明の第２の実施形態である静電霧化装置を示している。ここでは、上記第１の実施形態と相違する事項についてのみ説明し、その他の事項（構成、作用効果等）については、上記第１の実施形態と同様であるのでその説明を省略する。
【００５２】
図３に示すように、静電霧化ユニット１０は、霧化する対象である液体を予め貯水部１７に貯水しておき、貯水部１７から放電電極１１まで液体を供給する吸い上げ式を用いたものである。この場合には、放電電極１１の内部には、断面円形状又は断面楕円形状をした空洞が形成されており、水頭圧又は毛細管現象を利用して、この空洞を放電電極１１の先端の放電部１１ａまで液体が搬送される。この場合、放電電極１１の下端が直接に貯水部１７に挿設された構造となっている。なお、別部材である液体供給部材（図示せず）を介して貯水部１７から放電電極１１へ液体を供給する構造としてもよい。この場合、液体供給部材に、セラミックやフェルト材等の多孔質部材を使用し、毛細管現象を利用した液供給を行うことができる。
【図面の簡単な説明】
【００５３】
【図１】本願発明の第１の実施形態である静電霧化装置の構成を示すブロック構成図である。
【図２】同静電霧化装置における回転駆動の開始及び停止の判断処理のフローチャートである。
【図３】本願発明の第２の実施形態である静電霧化装置における静電霧化ユニット及び回転駆動部の構成を示すブロック構成図である。
【図４】従来例である静電霧化装置の断面図である。
【符号の説明】
【００５４】
Ａ  静電霧化装置
１０  静電霧化ユニット
１１  放電電極
１２  対向電極
１３  ペルチェユニット
１４  冷却部
１５  放熱部
１５ａ  放熱フィン
１６  ペルチェモジュール
１７  貯水部
１９  保持部材
２０  回転駆動部
２１  回転支持軸
２２  モータ部
３０  高電圧印加部
３１  回転駆動制御部
３２  電流計側部
３３  記憶部
３４  距離計測部
５０  回転軸
【図１】
2008238060.tif 000003
【図２】
2008238060.tif 000004
【図３】
2008238060.tif 000005
【図４】
2008238060.tif 000006